(57)【要約】【課題】引き戸に人や物が挟まれた場合に戸体の移動力を緩和できる引き戸駆動装置および引き戸を提供すること。【解決手段】引き戸駆動装置１０は、固定枠１１と、固定枠１１に対して室内外側に可動に連結された可動枠１２と、固定枠１１に対して可動枠１２を付勢する付勢装置１３と、可動枠１２に装着されたモーターユニット１４と、モーターユニット１４に連結されたフリクションローラ１５とを備える。フリクションローラ１５の周面１５１は戸体の室外面に摩擦接触可能に形成される。付勢装置１３は、固定枠１１に取り付けられた調整ロッド１３１と、バネ部材１３２とを備える。調整ロッド１３１は、バネ部材１３２を受けるナット１３５を備え、ナット１３５は室内外側に位置調整可能である。バネ部材１３２はナット１３５および可動枠１２の間に配置される。【選択図】図２
2020105854.tif 000002
【特許請求の範囲】
【請求項１】
スライド可能な戸体を備えて室内外を区画する引き戸に設置される引き戸駆動装置であって、
固定枠と、
前記固定枠に対して室内外側に可動に連結された可動枠と、
前記固定枠に対して前記可動枠を付勢する付勢装置と、
前記可動枠に装着された回転駆動源と、
前記回転駆動源に連結されていると共に回転によって前記戸体をスライド方向に移動させるフリクションローラとを備え、
前記フリクションローラの周面は、前記戸体の室外面または室内面に摩擦接触可能に形成され、
前記付勢装置は、前記固定枠および前記可動枠のうちの一方の枠に対して室内外側に位置調整可能な受け部を備えていると共に前記固定枠および前記可動枠のうちの他方の枠に取り付けられた調整ロッドと、前記受け部および前記一方の枠の間に配置された付勢部材とを備えている
ことを特徴とする引き戸駆動装置。
【請求項２】
請求項１に記載の引き戸駆動装置において、
前記調整ロッドは前記他方の枠に対して螺合している
ことを特徴とする引き戸駆動装置。
【請求項３】
請求項１または請求項２に記載の引き戸駆動装置において、
前記固定枠は、固定前板部と、前記固定前板部の縦側縁に連続した一対の固定側板部とを有し、
前記可動枠は、可動前板部と、前記可動前板部の縦側縁に連続した一対の可動側板部とを有し、
前記一対の可動側板部は、前記一対の固定側板部に対してピボット軸を介して回動可能に連結されている
ことを特徴とする引き戸駆動装置。
【請求項４】
請求項３に記載の引き戸駆動装置において、
前記可動前板部には上下方向に延びた貫通孔が形成され、
前記調整ロッドは前記固定前板部に螺合し且つ前記貫通孔を貫通して配置され、
前記付勢部材は、前記受け部および前記可動前板部の間に配置されている
ことを特徴とする引き戸駆動装置。
【請求項５】
請求項１から請求項４のいずれか一項に記載の引き戸駆動装置において、
前記可動枠に回転可能に保持された従動フリクションローラと、前記従動フリクションローラを前記フリクションローラに連動可能に連結した回転伝達ベルトとを更に備え、
前記従動フリクションローラは、前記フリクションローラに対して戸体のスライド方向に離間した位置に配置されている
ことを特徴とする引き戸駆動装置。
【請求項６】
スライド可能な戸体と、前記戸体をスライド移動させる請求項１から請求項５のいずれか一項に記載の引き戸駆動装置とを備えている
ことを特徴とする引き戸。
【請求項７】
請求項６に記載の引き戸において、
前記戸体の室外面または室内面のうち前記引き戸駆動装置のフリクションローラの周面が摩擦接触する部分には、前記フリクションローラの前記戸体に対する摩擦抵抗を増大させる摩擦テープが設けられている
ことを特徴とする引き戸。
【請求項８】
請求項６または請求項７に記載の引き戸において、
戸体がスライド可能に配置される開口を形成した枠体を備え、
前記枠体は前記戸体のスライド方向に沿ったガイドレールを有し、
前記戸体は前記ガイドレールに向かって付勢される戸車を有している
ことを特徴とする引き戸。
【発明の詳細な説明】
【技術分野】
【０００１】
本発明は、引き戸の戸体をスライド駆動させる引き戸駆動装置および引き戸に関する。
【背景技術】
【０００２】
従来、躯体にスライド開閉可能に支持された引き戸をスライド駆動させる引き戸駆動装置が知られている（特許文献１参照）。引き戸駆動装置は、引き戸の上部に沿って配設されるステンレス鋼や鉄板からなる磁性体と、躯体側に固定された駆動本体部とを備えており、駆動本体部は、駆動モータ、駆動ローラおよび永久磁石とを備えており、永久磁石が磁性体と吸引すると共に駆動ローラが磁性体に圧接する構成となっている。この引き戸駆動装置では、駆動モータの駆動により駆動ローラが回転し、この回転が磁性体にスライド移動として伝達されることで、引き戸がスライド方向に開閉移動する。
【先行技術文献】
【特許文献】
【０００３】
【特許文献１】特開２００６−１２５１１６号公報
【発明の概要】
【発明が解決しようとする課題】
【０００４】
ところで、特許文献１に記載の引き戸駆動装置では、安定して確実に引き戸を移動させることを目的としており、そのため、磁性体と吸引する磁気発生手段として強力な磁力を備えた永久磁石を採用して吸引力を増大している。このような永久磁石を採用した場合には、磁性体との吸引力を調整して弱めることができないので、例えば閉鎖移動する引き戸に人や物が挟まれた場合には、駆動本体部から引き戸に伝達される閉鎖移動力を緩和することが困難である。
【０００５】
本発明は、引き戸に人や物が挟まれた場合に戸体の移動力を緩和できる引き戸駆動装置および引き戸を提供することを目的とする。
【課題を解決するための手段】
【０００６】
本発明の引き戸駆動装置は、スライド可能な戸体を備えて室内外を区画する引き戸に設置される引き戸駆動装置であって、固定枠と、前記固定枠に対して室内外側に可動に連結された可動枠と、前記固定枠に対して前記可動枠を付勢する付勢装置と、前記可動枠に装着された回転駆動源と、前記回転駆動源に連結されていると共に前記回転によって前記戸体をスライド方向に移動させるフリクションローラとを備え、前記フリクションローラの周面は、前記戸体の室外面または室内面に摩擦接触可能に形成され、前記付勢装置は、前記固定枠および前記可動枠のうちの一方の枠に対して室内外側に位置調整可能な受け部を備えていると共に前記固定枠および前記可動枠のうちの他方の枠に取り付けられた調整ロッドと、前記受け部および前記一方の枠の間に配置された付勢部材とを備えていることを特徴とする。
また、本発明の引き戸は、スライド可能な戸体と、前記戸体をスライド移動させる前述した本発明の引き戸駆動装置とを備えている
ことを特徴とする。
【発明の効果】
【０００７】
本発明によれば、引き戸に人や物が挟まれた場合に戸体の移動力を緩和できる引き戸駆動装置および引き戸を提供することができる。
【図面の簡単な説明】
【０００８】
【図１】本発明の実施形態に係る引き戸を示す斜視図。
【図２】前記実施形態に係る引き戸駆動装置を展開して示す斜視図。
【図３】前記実施形態に係る引き戸駆動装置を示す説明図。
【図４】前記実施形態に係る引き戸駆動装置の取付状態を示す説明図。
【図５】前記実施形態に係る引き戸の戸車を示す説明図。
【図６】本発明の変形例に係る引き戸の上框を示す縦断面図。
【図７】本発明の他の変形例に係る引き戸駆動装置およびその動作を示す説明図。
【図８】本発明の更に他の変形例に係る引き戸を示す縦断面図。
【発明を実施するための形態】
【０００９】
［本実施形態の構成］
以下、本発明の実施形態を図面に基づいて説明する。
図１において、本実施形態に係る引き戸１は、建物躯体の開口に設置されて室内外を区画するものであり、枠体２と、枠体２内にスライド可能に配置された戸体３とを備え、更に戸体３をスライド移動させる引き戸駆動装置１０が設置されている。
以下の説明において、引き戸１の左右方向をＸ軸方向とし、引き戸１の上下方向をＹ軸方向とし、引き戸１の見込み方向（室内外方向）をＺ軸方向とする。Ｘ，Ｙ，Ｚ軸方向は互いに直交している。
【００１０】
枠体２は、上枠２１、下枠２２および左右の縦枠２３を枠組みして構成されており、建物躯体に固定される。上枠２１にはＸ軸方向に沿ったガイドレールである上レール２１１（図４参照）が形成されており、上レール２１１には、戸体３の後述する上框３１がＸ軸方向にスライド可能に嵌合している。下枠２２にはＸ軸方向に沿ったガイドレールである下レール（図示省略）が形成されており、下レールには、戸体３の後述する下框３２に設けられた戸車（図示省略）がＸ軸方向に走行可能に載置されている。
戸体３は、上框３１、下框３２、左右の縦框３３および面材３４を框組みして構成されている。図１において左側の縦框３３が戸先側縦框であり、図１において右側の縦框３３が戸尻側縦框である。
上框３１には、図４に示すように断面コ字状のガイド溝部３１１が形成されており、このガイド溝部３１１に上レール２１１が配置されている。左右の縦框３３の上端部には、図５に示すように、上レール２１１の両側面に隙間を隔てて当該上レール２１１を挟む摺動片３３１と、上レール２１１に沿ってＸ軸方向に走行可能に摺動片３３１に軸支された戸車３５とが設置されている。また、縦框３３の上端部にはキャップ部材３３２が取り付けられており、キャップ部材３３２にはロッド３３３がＹ軸方向に沿って立設され、ロッド３３３に沿って付勢部材としてのバネ部材３３４が設けられている。摺動片３３１はロッド３３３に上下移動可能に装着され且つバネ部材３３４に上方に弾性付勢されている。このため、戸車３５は摺動片３３１とともに上レール２１１側に向かって上方に弾性付勢されている。戸車３５の周面には断面略Ｖ字状の溝部３５１が形成されているので、前記弾性付勢によって上框３１はＺ軸方向において位置決めされる。また、上框３１は、このような戸車３５を備えることで、後述するフリクションローラ１５に押し付けられてもＺ軸方向の位置ズレを抑制可能な構成とされている。
【００１１】
引き戸駆動装置１０は、図２および図３に示すように、枠体２に固定される固定枠１１と、固定枠１１に対して室内外側に可動に連結された可動枠１２と、固定枠１１に対して可動枠１２を戸体３側に付勢する付勢装置１３と、可動枠１２に装着された回動駆動源としてのモーターユニット１４と、モーターユニット１４に連結されたフリクションローラ１５とを備えており、この引き戸駆動装置１０は装置カバー５によって覆われている。
【００１２】
固定枠１１は、引き戸１の閉鎖状態において戸尻側縦框３３に近い位置に配置されている。固定枠１１は、矩形板状の固定前板部１１１と、固定前板部１１１の縦側縁に連続した一対の固定側板部１１２，１１３と、固定側板部１１２，１１３からＸ軸方向において左右に延出したネジ止め部１１４とを有しており、ネジ止め部１１４で上枠２１の室外面部にネジ止めされている。固定前板部１１１には、後述する調整ロッド１３１に螺合する螺合孔１１６が形成されている。また、固定前板部１１１には装置カバー５がネジ止めされる。固定側板部１１２，１１３はＺ軸方向において固定前板部１１１から戸体３側に延出して形成されている。固定側板部１１２，１１３には、ピボット軸としての段付きビス１６が挿通可能な軸孔１１５がそれぞれ形成されており、各軸孔１１５は固定側板部１１２，１１３の下部であって戸体３寄りの位置に配置されている。なお、螺合孔１１６は各軸孔１１５よりも高い位置に配置されている。
【００１３】
可動枠１２は、固定枠１１の固定前板部１１１および固定側板部１１２，１１３に囲まれて配置される。可動枠１２は、矩形板状の可動前板部１２１と、可動前板部１２１の縦側縁に連続した一対の可動側板部１２２，１２３と、可動前板部１２１の下縁に連続した装着板部１２４とを有している。可動前板部１２１は、固定前板部１１１に対してＸ軸方向の間隔を隔てて配置されており、可動前板部１２１にはＹ軸方向に延びた貫通孔１２６が形成されている。貫通孔１２６には調整ロッド１３１が貫通している。貫通孔１２６のＹ軸方向における長さ寸法は、可動枠１２が回動しても調整ロッド１３１に干渉しない程度の寸法とされている。可動側板部１２２，１２３はＺ軸方向において可動前板部１２１から戸体３側に延出して形成されている。可動側板部１２２，１２３には、前述した段付きビス１６が螺合して固定される固定孔１２５がそれぞれ形成されており、各固定孔１２５は可動側板部１２２，１２３の下部であって戸体３寄りの位置に配置されている。可動側板部１２２，１２３は、段付きビス１６を介して回転軸心Ｏを中心としてＲ方向に回動可能に固定側板部１１２，１１３に連結されている。なお、貫通孔１２６は各固定孔１２５よりも高い位置に配置されている。装着板部１２４には、後述するギヤユニット１４２がネジ止めされている。また、装着板部１２４には、後述する回転駆動軸１４３が挿通される挿通孔１２７が形成されている。
【００１４】
付勢装置１３は、Ｚ軸方向に沿った調整ロッド１３１と、調整ロッド１３１が内部に挿通された付勢部材としてのバネ部材１３２とを備えている。調整ロッド１３１は、ドライバー等の工具によって回転操作可能なヘッド部１３３と、Ｚ軸方向に沿ったロッド軸部１３４とを有している。ロッド軸部１３４は、ねじ軸によって形成されており、その一端側で固定前板部１１１の螺合孔１１６に螺合していると共に可動前板部１２１の貫通孔１２６を貫通している。ヘッド部１３３は、固定前板部１１１よりも室外側の外部に露出して配置されており、このため、調整ロッド１３１は室外側から容易に回転操作可能である。また、ロッド軸部１３４の他端側にはバネ部材１３２を受ける受け部としてのナット１３５（ダブルナット）が固定されている。ナット１３５のＺ軸方向における位置は、調整ロッド１３１を回転操作してＺ軸方向に進退させることによって室内外側に調整可能であり、この調整によってナット１３５と可動前板部１２１とのＺ軸方向における間隔を変えることができる。バネ部材１３２は、本実施形態では圧縮コイルバネによって構成されており、ナット１３５および可動前板部１２１の間に配置されている。可動前板部１２１およびバネ部材１３２の間にはワッシャー１３７が介在されている。
このように構成された付勢装置１３では、調整ロッド１３１の回転操作によりナット１３５の位置をＺ軸方向において可動前板部１２１に接近させると、バネ部材１３２が圧縮され、当該バネ部材１３２の可動前板部１２１に対する室外側への付勢力が増大する。一方、調整ロッド１３１の回転操作によりナット１３５の位置をＺ軸方向において可動前板部１２１から離間させると、バネ部材１３２への圧縮が緩和され、当該バネ部材１３２の可動前板部１２１に対する室外側への付勢力が減少する。このように、調整ロッド１３１の回転操作によってバネ部材１３２の可動枠１２に対する付勢力を調整可能である。
【００１５】
モーターユニット１４は、電動モーター１４１と、電動モーター１４１の出力回転軸に連結したギヤユニット１４２（本実施形態では減速ユニット）と、ギヤユニット１４２からの出力によって回転駆動される回転駆動軸１４３とを備えている。ギヤユニット１４２は前述した装着板部１２４にネジ止めされており、回転駆動軸１４３はＹ軸方向に沿っており、装着板部１２４の挿通孔１２７に挿通されて下方に突出している。
フリクションローラ１５は、回転駆動軸１４３に取り付けられており、装着板部１２４よりも下方に配置されている。このため、フリクションローラ１５は前述した段付きビス１６よりも低い位置に配置されている。フリクションローラ１５は、その周面１５１が上框３１の室外面部に摩擦接触可能に形成されていればよく、例えばウレタンローラ、ゴムローラ等によって構成される。このフリクションローラ１５は、回転駆動軸１４３の回転駆動により、当該回転駆動軸１４３の回転軸心Ｃ（戸体３のスライド方向に直交する回転軸心）を中心として回転する。
【００１６】
以下、本実施形態に係る引き戸１の動作について説明する。
引き戸１の閉鎖状態において、引き戸駆動装置１０のモーターユニット１４を作動させてフリクションローラ１５が回転し、この回転力がフリクションローラ１５の周面１５１に摩擦接触する上框３１にＸ軸方向の移動力として伝達され、戸体３が戸尻側にスライド移動して引き戸１が開放される。
また、引き戸１の開放状態において、引き戸駆動装置１０のモーターユニット１４を作動させてフリクションローラ１５を逆方向に回転し、この回転力がフリクションローラ１５の周面１５１に摩擦接触する上框３１にＸ軸方向の移動力として伝達され、戸体３が戸先側にスライド移動して引き戸１が閉鎖される。
【００１７】
ここで、戸体３が戸先側にスライド移動する際に戸先側の縦框３３および縦枠２３の間に人や物が挟まれた場合には、戸体３のスライド移動を停止する力が生じ、この力がフリクションローラ１５の戸体３に対する摩擦力を上回ると、フリクションローラ１５が戸体３に対して滑りを生じて空転する。このため、戸体３のスライド移動力は緩和されて戸体３は停止する。
ここで、引き戸駆動装置１０では、調整ロッド１３１の回転操作によりバネ部材１３２の可動枠１２に対する付勢力を調整することで、フリクションローラ１５の戸体３に対する押付力を設定可能である。この押付力は、例えば枠体２および戸体３の間に人や物が挟まれた場合に戸体３に加えられる力とフリクションローラ１５の戸体３に対する摩擦係数との関係において設定され、当該設定により戸体３の移動力が１５０Ｎ以下となるように設定されてもよい。１５０Ｎ以下とする設定は、住宅用窓シャッター技術基準（日本シャッタードア協会、日本サッシ協会）の障害物感知性（電動タイプ）として感知力１５０Ｎ以下で停止または反転動作をすることや、ＪＩＳ規格（ＪＩＳＡ７４２２  ５．５．７．３  静的動力の限度値）などの基準に対応したものである。この場合、戸体３に加えられる力が設定された移動力より大きくなると、回転するフリクションローラ１５が戸体３に対して滑りを生じ、これにより、戸体３のスライド移動が停止される。
【００１８】
また、引き戸駆動装置１０の作動停止状態において、フリクションローラ１５の戸体３に対する摩擦力を上回る手動開閉力を戸体３に加えることで、戸体３がフリクションローラ１５に対して滑りを生じてスライド移動させることができ、これにより、戸体３を手動開閉できる。
【００１９】
[変形例]
前記実施形態では、上框３１の室外面部にフリクションローラ１５の周面１５１を摩擦接触させているが、例えば図６に示すように、上框３１の室外面部のうちフリクションローラ１５の周面１５１が摩擦接触する部分に摩擦テープ３６を設けてもよく、これにより、フリクションローラ１５の戸体３に対する摩擦抵抗を増大させてもよい。摩擦テープ３６の表面には、梨地処理やヘアライン加工などの凹凸処理が施されていてもよい。なお、摩擦テープ３６は、上框３１の全長に沿って設けられてもよいが、例えば上框３１の戸先側の端部側、戸尻側の端部側などに部分的に設けられていてもよく、また、摩擦テープ３６の長手方向における異なる領域ごとに摩擦力が異なるように梨地処理や凹凸処理の粗さなどが異なっていてよい。
前記実施形態では、引き戸駆動装置１０は、戸体３に対して室外側に配置されているが、室内側に配置されていてもよい。また、引き戸駆動装置１０は、フリクションローラ１５が上框３１に摩擦接触するように引き戸１の上部に設置されているが、例えばフリクションローラ１５が戸体３の下框３２に摩擦接触するように引き戸１の下部に設置されてもよい。
前記実施形態では、可動枠１２は固定枠１１に対して段付きビス１６を介して回動するピボット式の構成とされているが、これに限らず、可動枠１２が固定枠１１に対してＺ軸方向にスライド移動するスライド式の構成とされていてもよい。この場合、付勢装置１３は、例えばバネ部材１３２を引張コイルバネによって構成し、可動枠１２を戸体３側に付勢する構成とされてもよい。
前記実施形態では、調整ロッド１３１を回転させることでナット１３５の室内外位置を調整する構成とされているが、例えば調整ロッド１３１を固定枠１１に固定し、ナット１３５を回転させてその室内外位置を調整する構成とされていてもよい。また、調整ロッド１３１は、固定枠１１ではなく可動枠１２に螺合していてもよく、この場合、固定枠１１には、調整ロッドが貫通する貫通孔が形成されていてもよい。
前記実施形態では、調整ロッド１３１が可動枠１２を貫通しているが、可動前板部１２１を固定前板部１１１に近接配置させて引き戸駆動装置１０の小型化を図る必要がない場合には、調整ロッド１３１は可動枠１２を貫通していなくてもよい。
前記実施形態では、戸体３において戸車３５を上レール２１１に向かって付勢することで、上框３１の室内外方向における位置決めを行っているが、他の位置決め機構を備えている場合には、戸車３５を前述したように付勢しなくてもよい。
前記実施形態では、引き戸駆動装置１０は一つのフリクションローラ１５を備えて構成されているが、例えば三枚の戸体が連動する三枚連動引き戸に対して引き戸駆動装置１０を設置する場合には、引き戸駆動装置１０を図７に示す変形例のように構成変更してもよい。図７に示す引き戸駆動装置１０は、フリクションローラ１５に対してＸ軸方向に離間した位置に配置された従動フリクションローラ５５を備えている。固定枠１１の固定前板部１１１と、可動枠１２の可動前板部１２１は、Ｘ軸方向に長く延びて形成されており、可動枠１２には、従動フリクションローラ５５を回転可能に支持した支持部５６が設けられている。そして、従動フリクションローラ５５はフリクションローラ１５に回転伝達ベルト５７によって回転連動可能に連結されている。回転伝達ベルト５７は、フリクションローラ１５が取り付けられた回転駆動軸１４３と、従動フリクションローラ５５が取り付けられた支持部５６の回転軸５８とに掛け回されている。このように構成された引き戸駆動装置１０では、モーターユニット１４の作動によってフリクションローラ１５が回転し、この回転が回転伝達ベルト５７を介して従動フリクションローラ５５に伝達され、従動フリクションローラ５５も回転する。このため、図７（Ａ）に示す位置にある戸体３をフリクションローラ１５によってスライド移動させ、戸体３が図７（Ｂ）に示す位置まで移動する際に従動フリクションローラ５５を戸体３に摩擦接触させ、従動フリクションローラ５５によって戸体３を図７（Ｃ）に示す位置までスライド移動させる。このように、戸体３をＸ軸方向に沿って長い距離をスライド移動させることができ、三枚連動引き戸に対しても、引き戸駆動装置１０を適切に動作するように設置可能である。
前記実施形態では、前記引き戸１は、下框３２の戸車（図示省略）が下枠２２の下レールに沿ってＸ軸方向に走行する下戸車タイプの構成とされているが、これに限らず、例えば図８（Ａ）に示すように戸体３が上枠２１にＸ軸方向に上吊り支持された上吊りタイプの構成とされた引き戸１Ａであってもよく、また、例えば図８（Ｂ）に示すように枠体に形成されたスライド溝２１Ａ，２２Ａに戸体３が嵌合するどぶ溝タイプの構成とされた引き戸１Ｂであってもよい。
前記実施形態では、引き戸１が、枠体２および戸体３を備えて構成されているが、例えば枠体２を備えず、戸体３が建物躯体の開口にスライド可能に設置される場合には、引き戸駆動装置１０の固定枠１１は建物躯体に固定されてもよく、また、開口に額縁が設置される場合には、この額縁に固定されてもよい。
【００２０】
[本発明のまとめ]
本発明の引き戸駆動装置は、スライド可能な戸体を備えて室内外を区画する引き戸に設置される引き戸駆動装置であって、固定枠と、前記固定枠に対して室内外側に可動に連結された可動枠と、前記固定枠に対して前記可動枠を付勢する付勢装置と、前記可動枠に装着された回転駆動源と、前記回転駆動源に連結されていると共に回転によって前記戸体をスライド方向に移動させるフリクションローラとを備え、前記フリクションローラの周面は、前記戸体の室外面または室内面に摩擦接触可能に形成され、前記付勢装置は、前記固定枠および前記可動枠のうちの一方の枠に対して室内外側に位置調整可能な受け部を備えていると共に前記固定枠および前記可動枠のうちの他方の枠に取り付けられた調整ロッドと、前記受け部および前記一方の枠の間に配置された付勢部材とを備えていることを特徴とする。
本発明の引き戸駆動装置によれば、調整ロッドの受け部を室内外側に位置調整することで、受け部および前記一方の枠の間隔を調整できて付勢部材の可動枠に対する付勢力を変えることができ、フリクションローラの戸体に対する摩擦力を調整できる。このため、例えば引き戸に人や物が挟まれた場合にフリクションローラが戸体に対して滑って空転するように前記摩擦力を調整でき、戸体のスライド移動力を緩和できる。
更に、前述したようにフリクションローラに対して戸体を滑らせることで戸体を手動開閉することも可能である。
また、固定枠を建物躯体や額縁、枠体に固定するだけで引き戸駆動装置を設置可能なので、新設の引き戸だけでなく、既設の引き戸にも後付け設置可能である。
【００２１】
本発明の引き戸駆動装置では、前記調整ロッドは前記他方の枠に対して螺合していてもよい。
このような構成によれば、調整ロッドを回転させることによって受け部の室内外側の位置を変えることができ、これにより、フリクションローラの戸体に対する摩擦力を簡単に調整できる。
【００２２】
本発明の引き戸駆動装置では、前記固定枠は、固定前板部と、前記固定前板部の縦側縁に連続した一対の固定側板部とを有し、前記可動枠は、可動前板部と、前記可動前板部の縦側縁に連続した一対の可動側板部とを有し、前記一対の可動側板部は、前記一対の固定側板部に対してピボット軸を介して回動可能に連結されていてもよい。
このような構成によれば、一対の可動側板部が一対の固定側板部に対してピボット軸を介して連結されるので、例えば可動枠を固定枠に対して室内外方向にスライド移動可能にガイドする引き戸駆動装置を構成する場合と比べて、大掛かりなガイド機構を構成しなくても可動枠を円滑に回動させることができる。また、可動枠を円滑に回動させることができるので、可動枠を付勢する付勢装置の調整ロッドおよび付勢部材もワンセットあればよく、このため、例えば調整ロッドおよび付勢部材が複数セットある場合と比べて、可動枠に対する付勢力調整の操作を簡単に行える。
【００２３】
本発明の引き戸駆動装置では、前記可動前板部には上下方向に延びた貫通孔が形成され、前記調整ロッドは前記固定前板部に螺合し且つ前記貫通孔を貫通して配置され、前記付勢部材は、前記受け部および前記可動前板部の間に配置されていてもよい。
このような構成によれば、調整ロッドが可動前板部の貫通孔を貫通しているので、可動前板部を固定前板部に近づけて配置することができ、引き戸駆動装置の小型化を図ることができる。また、このように小型化しても、固定前板部に螺合した調整ロッドを外部から簡単に回転操作することができ、この回転による調整ロッドの進退によって受け部を室内外側に位置調整でき、付勢部材の可動枠に対する付勢力を変えることができる。
【００２４】
本発明の引き戸駆動装置では、前記可動枠に回転可能に保持された従動フリクションローラと、前記従動フリクションローラを前記フリクションローラに連動可能に連結した回転伝達ベルトとを更に備え、前記従動フリクションローラは、前記フリクションローラに対して戸体のスライド方向に離間した位置に配置されていてもよい。
このような構成によれば、戸体をフリクションローラだけでなく従動フリクションローラによってもスライド移動させることができ、戸体をスライド移動させることが可能な距離を延長できる。このため、例えば三枚の戸体が連動する三枚連動引き戸に対して引き戸駆動装置を設置した場合でも、フリクションローラおよび従動フリクションローラによって戸体を戸先から戸尻までスライド移動させることができる。
【００２５】
本発明の引き戸は、スライド可能な戸体と、前記戸体をスライド移動させる前述した本発明の引き戸駆動装置とを備えていることを特徴とする。
本発明の引き戸によれば、前述した本発明の引き戸駆動装置の作用効果と同様の作用効果を発揮可能な引き戸を構成できる。
【００２６】
本発明の引き戸では、前記戸体の室外面または室内面のうち前記引き戸駆動装置のフリクションローラの周面が摩擦接触する部分には、前記フリクションローラの前記戸体に対する摩擦抵抗を増大させる摩擦テープが設けられていてもよい。
このような構成によれば、戸体に摩擦テープを設けることでフリクションローラの戸体に対する摩擦抵抗を増大することで、付勢装置の可動枠に対する付勢力を弱めてもフリクションローラの戸体に対する所望の摩擦力を得ることができる。またこのように付勢力を弱められるので、例えばフリクションローラの回転軸心に交差する方向の負荷を軽減でき、これによりフリクションローラをより円滑に回転させることができ、戸体をよりスムーズにスライド移動させることができる。
【００２７】
本発明の引き戸では、戸体がスライド可能に配置される開口を形成した枠体を備え、前記枠体は前記戸体のスライド方向に沿ったガイドレールを有し、前記戸体は前記ガイドレールに向かって付勢される戸車を有していてもよい。
このような構成によれば、戸車がガイドレールに向かって付勢されることで、戸体に対してフリクションローラが押し付けられても、戸体の枠体に対する見込み方向の位置ズレを抑制でき、フリクションローラの戸体に対する所定の摩擦力を保つことができる。
【符号の説明】
【００２８】
１，１Ａ，１Ｂ…引き戸、１０…引き戸駆動装置、１１…固定枠、１１１…固定前板部、１１２，１１３…固定側板部、１１６…螺合孔、１２…可動枠、１２１…可動前板部、１２２，１２３…可動側板部、１２６…貫通孔、１３…付勢装置、１３１…調整ロッド、１３２…バネ部材（付勢部材）、１３５…ナット（受け部）、１４…モーターユニット（回転駆動源）、１４３…回転駆動軸、１５…フリクションローラ、１５１…周面、１６…段付きビス（ピボット軸）、２…枠体、２１１…上レール、３…戸体、３１…上框、３５…戸車、３６…摩擦テープ、５…装置カバー、５５…従動フリクションローラ、５７…回転伝達ベルト、Ｃ，Ｏ…回転軸心。
【図１】
2020105854.tif 000003
【図２】
2020105854.tif 000004
【図３】
2020105854.tif 000005
【図４】
2020105854.tif 000006
【図５】
2020105854.tif 000007
【図６】
2020105854.tif 000008
【図７】
2020105854.tif 000009
【図８】
2020105854.tif 000010